(57)【要約】【課題】  本発明はペットボトルからラベルを剥がすときに、けがなどの危険を減らし、安全にそして簡単に剥がすことのできるペットボトルのラベル剥がし器具の提供を課題とする。【解決手段】  柄（１）の先端にペットボトルラベルに引っ掛ける刃先（２）を設け、また、刃先（２）の引き方向の外側に突起（５）を設けた。これにより、ラベルを２か所で引っ掛け安定させることで安全に、剥がすことができる。【選択図】図１
2008253971.tif 000002
【特許請求の範囲】
【請求項１】
柄（１）の先端にペットボトルラベルに引っ掛ける複数の刃先（２）を設け、柄（１）の末端側にグリップ（４）を設けたペットボトルラベル剥がし器具。
【請求項２】
柄（１）の形状をフック状にした請求項１記載のペットボトルラベル剥がし器具。
【請求項３】
刃先（２）の引き方向の外側に突起（５）を設けた請求項１記載のペットボトルラベル剥がし器具。
【請求項４】
刃先（２）の又部分、及び側面部分に側面の刃（３）を設けた請求項１記載のペットボトルラベル剥がし器具。
【請求項５】
分割した柄（１）の先端側とグリップ（４）の末端側とをピンで連結し、ピンを中心にして両者を真っ直ぐにしたり、折り畳んだりすることができるようにした請求項１記載のペットボトルラベル剥がし器具。
【請求項６】
柄（１）の先端に刃を付けず先端に差込部（６）を設け、差込部（６）から弧の内側に折り返した部分に返し刃（７）を設けたペットボトルラベル剥がし器具。
【請求項７】
柄（１）の末端側に指保護部（８）を設けた請求項６記載のペットボトルラベル剥がし器具。
【発明の詳細な説明】
【技術分野】
【０００１】  本発明はペットボトルのラベル剥がし器具に関するものである。
【背景技術】
【０００２】  ペットボトルの容器とラベルは異なる合成樹脂でできている。【０００３】  これを資源ごみとして回収するためには、自治体やペットボトル関係業界だけでなく一般の消費者個人個人がペットボトル本体からラベルを剥がすことが必要で、この手間のかかる作業を簡単にすることがペットボトルの再資源化、リサイクル率を向上させる基ともなる。【０００４】
【特許文献１】  特開２００２−１５９７６２（Ｐ２００２−１５９７６２Ａ）
【０００５】  特開２００５−２１９７４７（Ｐ２００５−２１９７４７Ａ）
【発明の開示】
【発明が解決しようとする課題】
【０００６】  従来ペットボトルからラベルを剥がす作業は、ラベルにミシン目のあるものはミシン目に沿って指先、爪で破き剥がしていたがミシン目通りに破けないことも多く指先をけがすることもあった。【０００７】  現在ペットボトル容器の形状を飲料メーカーが他社との差別化を図るため複雑化してきている。このためカッターナイフやハサミ等で切る場合ペットボトルとラベルの隙間に刃が入ったとしても刃が安定してラベルを切れず、けがをするなど危険を伴った。【０００８】  またラベルが剥がしている途中で切れてしまうことも多く、切れ目の所から再び手を使って剥がすなど手間がかかり、ラベルを一動作で完全に剥がすのは難しかった。【０００９】  本発明が解決しようとする課題は上記のとおり、ラベルを剥がす際にけがをするなどの危険を減らし、また、ラベルが途中で切れずに剥がすことのできるペットボトルラベル剥がし器具を提供する点にある。
【課題を解決するための手段】
【００１０】  柄（１）の先端にペットボトルラベルに引っ掛ける刃先（２）を設け、また、刃先（２）の引き方向の外側に突起（５）を設けた。これにより、ラベルを２か所で引っ掛け安定させることで安全に、かつラベルが途中で切れずに剥がすことができる。【００１１】  また請求項５は、柄（１）の先端に刃を付けず先端に差込部（６）を設け、差込部（６）から弧の内側に折り返した部分に返し刃（７）を設けた。これにより、ペットボトル容器とラベルの隙間に差込部（６）を差込み、返し刃（７）をラベル内側に引っ掛け、手前引き方向にグリップ（４）を引っ張ることにより安全に、かつラベルが途中で切れずに剥がすことができる。
【発明の効果】
【００１２】  本発明に係るペットボトルラベル剥がし器具は、上記のように構成しており、ミシン目のあるラベルはミシン目の端のペットボトル容器とラベルの隙間に刃先（２）を引っ掛け、柄（１）がフック状になっているのを利用し、手前引き方向にグリップ（４）を引っ張ることにより、ラベルに刃先（２）が刺さりながら剥がすことができる。また、刃先（２）の引き方向の外側に設けた突起（５）もラベルに引っ掛かり、刃先（２）と突起（５）の２か所でラベルと接触しているため刃がずれたりせず、安全に剥がすことができる。【００１３】  また、ミシン目がないラベルでもペットボトル容器とラベルの隙間に刃先（２）を引っ掛け、柄（１）がフック状になっているのを利用し、手前引き方向にグリップ（４）を引っ張ることによりラベルに刃先（２）が刺さりながら側面の刃（３）が切込みをつくり、切込み部分より剥がすことができる。また、刃先（２）の引き方向の外側に設けた突起（５）もラベルに引っ掛かり、刃先（２）と突起（５）の２か所でラベルと接触しているため刃がずれたりせず、安全に剥がすことができる。【００１４】  ラベルの端に引っ掛け、手前引き方向に引っ張る効果は、容器とラベルの間に刃などを割り込ませ剥がしていくのとは違い複雑化しているペットボトル容器の形状にも対応している。
【発明を実施するための最良の形態】
【００１５】本発明を実施するための最良の形態を図１．２．３に基づいて説明する。【００１６】  柄（１）の形状は図１に示すようにフック状にし、その先端には図２に示すように複数の刃先（２）を設けている。刃先（２）の引き方向の外側には図３に示すように複数の突起（５）を設け、柄（１）の末端側にはグリップ（４）を設ける。【００１７】  ペットボトル容器とラベルの隙間に刃先（２）を引っ掛け、柄（１）がフック状になっているのを利用し、手前引き方向にグリップ（４）を引っ張ると刃先（２）と突起（５）の２か所でラベルと接触しているため刃がずれたりせず、安全に剥がすことができる。
【実施例１】
【００１８】  本発明に係るペットボトルラベル剥がし器具は、全体を金属または硬質プラスチック等で製作したもので一体成型したものでもよい。また、柄（１）刃先（２）側面の刃（３）グリップ（４）突起（５）、及び柄（１）グリップ（４）差込部（６）返し刃（７）指保護部（８）もそれぞれ一体成型したものでもよい。【００１９】  柄（１）の形状は板状のものとしてもよいが、棒状、錐状体等にしてもよい。【００２０】  刃先（２）は加工をしやすくするために、別成型後に柄（１）に溶接、ねじ留め、その他の留め具で一体化させてもよい。【００２１】  側面の刃（３）は刃先（２）の又部分、及び側面部分に位置し、プレス加工または研磨等により加工し、ラベルを切ることのできる刃である。【００２２】  グリップ（４）を軽くする、または加工をしやすくするために別成型する場合、合成樹脂や木等のものとすることもできる。【００２３】  突起（５）は単数もしくは複数の突起で構成するものとする。刃先（２）と一体成型したものでもよい。【００２４】  差込部（６）は柄（１）と一体成型、もしくは別成型した返し刃（７）と一体成型後、柄（１）に溶接、ねじ留め、その他の留め具で一体化させてもよい。【００２５】  返し刃（７）も柄（１）と一体成型、もしくは別成型した差込部（６）と一体成型後、柄（１）に溶接、ねじ留め、その他の留め具で一体化させてもよい。【００２６】  指保護部（８）も柄（１）と一体成型、もしくは別成型後、柄（１）に溶接、ねじ留め、その他の留め具で一体化させてもよい。【００２７】  本発明のペットボトルラベル剥がし器具は以上のように構成され、使用法については次のようになる。
【実施例２】
【００２８】  刃先（２）をミシン目のあるラベルはミシン目の端のペットボトル容器とラベルの隙間に引っ掛け、柄（１）がフック状になっているのを利用し、手前引き方向にグリップ（４）を引っ張ることにより、ラベルに複数の刃先（２）が刺さりながら剥がすことができる。
【実施例３】
【００２９】  刃先（２）をミシン目がないラベルのペットボトル容器とラベルの隙間に引っ掛け、柄（１）がフック状になっているのを利用し、手前引き方向にグリップ（４）を引っ張る。すると、ラベルに刃先（２）が刺さりながら側面の刃（３）が切込みをつくり、切込み部分より剥がすことができる。
【実施例４】
【００３０】  実施例２．３の双方に突起（５）を設け刃先（２）をラベルの端に引っ掛けて手前引き方向に引っ張る、すると刃先（２）がラベルから抜けづらくなり、ラベルがめくれた面に突起（５）が当たり留め具の役目をし、刃先（２）突起（５）の２か所でラベルと接触しているため刃がずれたりせず、安全に剥がすことができる。
【実施例５】
【００３１】  図４は栓抜き等が柄（１）及びグリップ（４）に代わるものとした例である。
また、栓抜き等の先端及び末端に刃先（２）及び側面の刃（３）を設け、ラベルの端に引っ掛けて剥がす。
【実施例６】
【００３２】  別成型した柄（１）とグリップ（４）の間の部分において、両者間にピンを通して両者を一体にすることができ、その部分より２つに折り畳める収納、持ち運びに便利にしたペットボトルラベル剥がし器具
【実施例７】
【００３３】  柄（１）の先端に刃を付けず先端に差込部（６）を設け、それを容器とラベルの間に差込む、そしてグリップ（４）の引き方向に引っ張ると差込部（６）から弧の内側に折り返した部分に設けた返し刃（７）がラベルに引っ掛かる。また、指をグリップ（４）と指保護部（８）の間に入れることにより、けがすることなく安全に剥がすことができる。
【図面の簡単な説明】
【００３４】
【図１】本発明を実施するための最良の形態を示す側面図である。
【図２】本発明を実施するための最良の形態を示す正面図である。
【図３】本発明の刃先（２）、側面の刃（３）、突起（５）の拡大図である。
【図４】本発明の実施例５を示す斜視図である。
【図５】本発明の実施例７を示す斜視図である。
【符号の説明】
【００３５】    １、柄
２、刃先
３、側面の刃
４、グリップ
５、突起
６、差込部
７、返し刃
８、指保護部
【図１】
2008253971.tif 000003
【図２】
2008253971.tif 000004
【図３】
2008253971.tif 000005
【図４】
2008253971.tif 000006
【図５】
2008253971.tif 000007